(57)【特許請求の範囲】
【請求項１】
対象施設へ吹き出す給気の風量を調節する給気バルブと、
前記対象施設から吸い出す排気の風量を調節する排気バルブと、
前記対象施設の室圧制御のために給気風量と排気風量のうち何れか一方を調節する室圧補正制御バルブと、
前記給気バルブによって調節される給気風量と前記排気バルブによって調節される排気風量との差が所定の風量設定値に一致するように、前記給気バルブの給気風量と前記排気バルブの排気風量とを決定し、前記給気バルブと前記排気バルブとを制御する風量バランス制御手段と、
基準室圧に設定された基準室と前記対象施設との室間差圧が所定の差圧設定値に一致するように前記室圧補正制御バルブを制御する室圧補正制御手段と、
予め設定されたスケジュールまたは外部からの指示に従って前記風量バランス制御手段に対して風量変更の指示を出す風量変更手段と、
前記風量変更手段から風量変更の指示を受けたときに、前記給気風量および前記排気風量の変更によって前記室圧補正制御バルブの風量に変更が生じないように、前記風量バランス制御手段が前記風量変更手段からの指示に応じて決定した給気風量および排気風量のうち少なくとも一方を変更する風量補正手段とを備えることを特徴とする風量制御システム。
【請求項２】
請求項１記載の風量制御システムにおいて、
前記風量補正手段は、給気風量と排気風量との差であるオフセット風量を広げる方向に補正する場合は、前記風量バランス制御手段が前記風量変更手段からの指示に応じて決定した給気風量を減らし、前記オフセット風量を狭める方向に補正する場合は、前記風量バランス制御手段が前記風量変更手段からの指示に応じて決定した排気風量を減らすことを特徴とする風量制御システム。
【請求項３】
対象施設に設置された給気バルブによって調節される給気風量と前記対象施設に設置された排気バルブによって調節される排気風量との差が所定の風量設定値に一致するように、前記給気バルブの給気風量と前記排気バルブの排気風量とを決定し、前記給気バルブと前記排気バルブとを制御する風量バランス制御ステップと、
前記対象施設の室圧制御のために給気風量と排気風量のうち何れか一方を調節する室圧補正制御バルブを制御して、基準室圧に設定された基準室と前記対象施設との室間差圧を所定の差圧設定値に一致させる室圧補正制御ステップと、
予め設定されたスケジュールまたは外部からの指示に従って風量変更の指示を出す風量変更ステップと、
前記風量変更の指示を受けたときに、前記給気風量および前記排気風量の変更によって前記室圧補正制御バルブの風量に変更が生じないように、前記風量バランス制御ステップにおいて前記風量変更の指示に応じて決定した給気風量および排気風量のうち少なくとも一方を変更する風量補正ステップとを含むことを特徴とする風量制御方法。
【請求項４】
請求項３記載の風量制御方法において、
前記風量補正ステップは、給気風量と排気風量との差であるオフセット風量を広げる方向に補正する場合は、前記風量バランス制御ステップにおいて前記風量変更の指示に応じて決定した給気風量を減らし、前記オフセット風量を狭める方向に補正する場合は、前記風量バランス制御ステップにおいて前記風量変更の指示に応じて決定した排気風量を減らすことを特徴とする風量制御方法。
【発明の詳細な説明】
【技術分野】
【０００１】
本発明は、風量バランス制御と室圧補正制御を組み合わせた動作を行う風量制御システムおよび風量制御方法に関するものである。
【背景技術】
【０００２】
化学実験では、実験作業過程において、人体に有害な生物化学物質が発生する場合が多い。これら生物化学物質の室内への拡散を防止し、人体への汚染を防ぐ装置の１つにヒュームフードがある。一般に、ヒュームフードは、上下または左右に開閉可能なサッシ付きの囲い（エンクロージャ）を備えており、実験室の作業者はこのサッシからエンクロージャ内にアクセスすることができる。ヒュームフードで作業中の作業者が有害な生物化学物質に曝されないようにするために、エンクロージャは生物化学物質を除去する局所排気ダクトに接続されている。
【０００３】
風量制御システムは、ヒュームフード内で生物化学物質を扱う実験をする場合に、生物化学物質が部屋の外に漏れ出したり外からの不純物等が部屋内に流入したりしないように部屋の圧力を一定に保つシステムである（特許文献１参照）。この風量制御システムでは、部屋へ吹き出す給気の風量と部屋から吸い出す排気の風量との差が所定の風量（オフセット風量）になるように給気バルブと排気バルブを制御することで室内の陰陽圧を維持する制御、すなわち風量バランス制御が行われる。
【０００４】
また、安定した室圧制御を行うために、室圧補正制御バルブを設け、基準圧と室圧との室間差圧が一定となるように室圧補正制御バルブの風量を制御する室圧補正制御が知られている（特許文献２、特許文献３参照）。
【先行技術文献】
【特許文献】
【０００５】
【特許文献１】特開２０１２−２３７５２７号公報
【特許文献２】特許第５１１８４２５号公報
【特許文献３】特許第５２９６９０３号公報
【発明の概要】
【発明が解決しようとする課題】
【０００６】
室圧を厳密に制御するために、風量バランス制御に室圧補正制御を組み合わせた場合、風量バランス制御用の給排気バルブの風量が変わると、室圧も微妙に変動するので、給排気バルブの風量が変化する度に室圧補正制御バルブの風量も変動する。室圧補正制御バルブは外乱による室圧の変動に応じて風量を変更するため、バルブの動作回数が他の給排気バルブ等に比べて多い。さらに、風量バランス制御に室圧補正制御を組み合わせると、上記の理由により室圧補正制御バルブの動作回数が増えることになる。このため、室圧補正制御バルブの寿命が短く、定期的に交換する必要があるので、メンテナンスに手間がかかるという問題点があった。
【０００７】
本発明は、上記課題を解決するためになされたもので、風量バランス制御に室圧補正制御を組み合わせた風量制御システムにおいて、室圧補正制御バルブの動作回数を減らすことを目的とする。
【課題を解決するための手段】
【０００８】
本発明の風量制御システムは、対象施設へ吹き出す給気の風量を調節する給気バルブと、前記対象施設から吸い出す排気の風量を調節する排気バルブと、前記対象施設の室圧制御のために給気風量と排気風量のうち何れか一方を調節する室圧補正制御バルブと、前記給気バルブによって調節される給気風量と前記排気バルブによって調節される排気風量との差が所定の風量設定値に一致するように、前記給気バルブの給気風量と前記排気バルブの排気風量とを決定し、前記給気バルブと前記排気バルブとを制御する風量バランス制御手段と、基準室圧に設定された基準室と前記対象施設との室間差圧が所定の差圧設定値に一致するように前記室圧補正制御バルブを制御する室圧補正制御手段と、予め設定されたスケジュールまたは外部からの指示に従って前記風量バランス制御手段に対して風量変更の指示を出す風量変更手段と、前記風量変更手段から風量変更の指示を受けたときに、前記給気風量および前記排気風量の変更によって前記室圧補正制御バルブの風量に変更が生じないように、前記風量バランス制御手段が前記風量変更手段からの指示に応じて決定した給気風量および排気風量のうち少なくとも一方を変更する風量補正手段とを備えることを特徴とするものである。
また、本発明の風量制御システムの１構成例において、前記風量補正手段は、給気風量と排気風量との差であるオフセット風量を広げる方向に補正する場合は、前記風量バランス制御手段が前記風量変更手段からの指示に応じて決定した給気風量を減らし、前記オフセット風量を狭める方向に補正する場合は、前記風量バランス制御手段が前記風量変更手段からの指示に応じて決定した排気風量を減らすことを特徴とするものである。
【０００９】
また、本発明の風量制御方法は、対象施設に設置された給気バルブによって調節される給気風量と前記対象施設に設置された排気バルブによって調節される排気風量との差が所定の風量設定値に一致するように、前記給気バルブの給気風量と前記排気バルブの排気風量とを決定し、前記給気バルブと前記排気バルブとを制御する風量バランス制御ステップと、前記対象施設の室圧制御のために給気風量と排気風量のうち何れか一方を調節する室圧補正制御バルブを制御して、基準室圧に設定された基準室と前記対象施設との室間差圧を所定の差圧設定値に一致させる室圧補正制御ステップと、予め設定されたスケジュールまたは外部からの指示に従って風量変更の指示を出す風量変更ステップと、前記風量変更の指示を受けたときに、前記給気風量および前記排気風量の変更によって前記室圧補正制御バルブの風量に変更が生じないように、前記風量バランス制御ステップにおいて前記風量変更の指示に応じて決定した給気風量および排気風量のうち少なくとも一方を変更する風量補正ステップとを含むことを特徴とするものである。
【発明の効果】
【００１０】
本発明によれば、風量変更手段から風量変更の指示を受けたときに風量バランス制御手段が決定した給気風量および排気風量のうち少なくとも一方を風量補正手段で変更することにより、室圧補正制御バルブの風量の変動を抑えることができ、室圧補正制御バルブの動作回数を減らすことができる。その結果、本発明では、室圧補正制御バルブの寿命を延ばすことができ、室圧補正制御バルブの交換や点検などのメンテナンスの手間を軽減することができる。
【００１１】
また、本発明では、風量補正手段は、給気風量と排気風量との差であるオフセット風量を広げる方向に補正する場合は、風量バランス制御手段が風量変更手段からの指示に応じて決定した給気風量を減らし、オフセット風量を狭める方向に補正する場合は、風量バランス制御手段が風量変更手段からの指示に応じて決定した排気風量を減らす。これにより、本発明では、省エネルギーに貢献することができる。
【図面の簡単な説明】
【００１２】
【図１】本発明の実施の形態に係る風量制御システムの構成を示す図である。
【図２】本発明の実施の形態に係る風量制御システムのコントローラの構成を示すブロック図である。
【図３】本発明の実施の形態に係る風量制御システムの風量バランス制御動作と室圧補正制御動作を説明するフローチャートである。
【図４】本発明の実施の形態に係る風量制御システムの風量変更制御動作を説明するフローチャートである。
【発明を実施するための形態】
【００１３】
以下、本発明の実施の形態について図面を参照して説明する。図１は本発明の実施の形態に係る風量制御システムの構成を示す図である。本実施の形態の風量制御システムは、部屋１００に給気を供給する給気ダクト１０１と、部屋１００の空気を排気する排気ダクト１０２と、給気ダクト１０１の風量を調整する給気バルブＭＡＶと、排気ダクト１０２の風量を調整する排気バルブＧＥＸと、給気ダクト１０１に設けられた室圧補正制御バルブＰＣＶと、給気バルブＭＡＶおよび室圧補正制御バルブＰＣＶを制御するコントローラ１０３と、排気バルブＧＥＸを制御するコントローラ１０４と、コントローラ１０３，１０４を互いに接続する通信線１０５と、所定の基準室１１０と部屋１００との圧力差を計測する差圧センサ１０６とから構成される。
【００１４】
図２は本実施の形態のコントローラ１０３の構成を示すブロック図である。コントローラ１０３は、給気バルブＭＡＶによって調節される給気風量と排気バルブＧＥＸによって調節される排気風量との差が所定の風量設定値に一致するように、給気バルブＭＡＶの給気風量と排気バルブＧＥＸの排気風量とを決定して、給気バルブＭＡＶと排気バルブＧＥＸとを制御する風量バランス制御部１と、基準室圧に設定された基準室１１０と部屋１００との室間差圧が所定の差圧設定値に一致するように室圧補正制御バルブＰＣＶを制御する室圧補正制御部２と、予め設定されたスケジュールまたは外部からの指示に従って風量バランス制御部１に対して風量変更の指示を出す風量変更部３と、風量変更部３から風量変更の指示を受けたときに、給気風量および排気風量の変更によって室圧補正制御バルブＰＣＶの風量に変更が生じないように、風量バランス制御部１が風量変更部３からの指示に応じて決定した給気風量および排気風量のうち少なくとも一方を変更する風量補正部４とを備えている。
【００１５】
次に、本実施の形態の風量制御システムの風量バランス制御動作と室圧補正制御動作について説明する。図３は風量バランス制御動作と室圧補正制御動作を説明するフローチャートである。本実施の形態では、室圧補正制御バルブＰＣＶを給気ダクト１０１に配置した場合について説明する。給気バルブＭＡＶによって調節する給気の風量をＶｍａｖ、室圧補正制御バルブＰＣＶによって調節する給気の風量をＶｐｃｖ、排気ダクト１０２で吸い出す排気の風量をＶｇｅｘとする。
【００１６】
風量バランス制御部１は、給気風量Ｖｍａｖと排気風量Ｖｇｅｘとの差が所定の風量設定値αに一致するように、給気風量Ｖｍａｖと排気風量Ｖｇｅｘとを決定する（図３ステップＳ１）。
Ｖｍａｖ＝Ｖｇｅｘ＋α                                          ・・・（１）
【００１７】
式（１）における風量設定値αは、対象施設（図１の部屋１００）から漏れていく風量を決定すると共に、部屋１００を正圧にするか負圧にするかを決定するためのオフセット風量である。ただし、風量バランス制御部１は、部屋１００の最低換気風量を満足させるよう、少なくとも最低風量を常に吹き出すように給気風量Ｖｍａｖを決定する。
【００１８】
風量バランス制御部１は、給気バルブＭＡＶによって調節される給気の風量がステップＳ１で決定した風量Ｖｍａｖとなるように給気バルブＭＡＶの開度を制御する（図３ステップＳ２）。また、風量バランス制御部１は、排気バルブＧＥＸによって調節される排気風量がステップＳ１で決定した風量Ｖｇｅｘとなるようにコントローラ１０４を介して排気バルブＧＥＸの開度を制御する（図３ステップＳ３）。
【００１９】
一方、差圧センサ１０６は、基準室圧に設定された基準室１１０と部屋１００との室間差圧を計測する。室圧補正制御部２は、差圧センサ１０６によって計測された室間差圧が所定の差圧設定値に一致するように、給気風量Ｖｐｃｖを決定する（図３ステップＳ４）。そして、室圧補正制御部２は、室圧補正制御バルブＰＣＶによって調節される給気の風量がステップＳ４で決定した風量Ｖｐｃｖとなるように室圧補正制御バルブＰＣＶの開度を制御する（図３ステップＳ５）。
こうして、例えばユーザからの指示により風量制御が終了するまで（図３ステップＳ６においてＹＥＳ）、ステップＳ１〜Ｓ５の処理が制御周期毎に繰り返し行われる。
【００２０】
次に、風量変更制御動作について説明する。給気風量Ｖｍａｖと排気風量Ｖｇｅｘが変更される例としては、作業を行わない夜間や休日などの人がいない時間帯において、省エネルギーのために、室内外の圧力差を一定に保ちつつ、給気風量Ｖｍａｖと排気風量Ｖｇｅｘを下げる風量変更制御動作がある。この風量変更は、平日は毎日行われる。昼から夜への切り替えの例では、給気風量Ｖｍａｖと排気風量Ｖｇｅｘを共に徐々に減らし、夜から昼への切り替えの例では、給気風量Ｖｍａｖと排気風量Ｖｇｅｘを共に徐々に増やす。また、部屋１００の温度制御に伴って外部から風量変更の指示を受ける場合もある。
【００２１】
図４は風量変更制御動作を説明するフローチャートである。風量変更部３は、予め設定されたスケジュールに従って風量を変更する場合（例えば昼から夜の時間帯に切り替わる場合もしくは夜から昼の時間帯に切り替わる場合）、または外部から風量変更の指示を受けた場合（図４ステップＳ１０においてＹＥＳ）、風量バランス制御部１に対して給気風量Ｖｍａｖを変更するように指示を出す（図４ステップＳ１１）。
【００２２】
風量変更部３からの指示を受けた風量バランス制御部１は、給気風量Ｖｍａｖを変更する（図４ステップＳ１２）。このとき、風量バランス制御部１は、給気風量Ｖｍａｖの変更に応じて排気風量Ｖｇｅｘも変更するが、風量変更後も式（１）が成立するように排気風量Ｖｇｅｘを決定する。
【００２３】
一方、風量補正部４は、風量変更部３からの風量変更指示が生じた場合、給気風量Ｖｍａｖと排気風量Ｖｇｅｘの変更時に室圧補正制御バルブＰＣＶの風量に変更が生じないように、風量バランス制御部１がステップＳ１２で決定した排気風量Ｖｇｅｘを変更する（ステップＳ１３）。風量補正部４は、給気風量Ｖｍａｖおよび排気風量Ｖｇｅｘと、室圧補正制御バルブＰＣＶの風量Ｖｐｃｖとの関係を予め記憶する風量テーブル（不図示）を備えている。
【００２４】
風量補正部４は、変更前の給気風量Ｖｍａｖおよび変更前の排気風量Ｖｇｅｘに対応する室圧補正制御バルブＰＣＶの風量Ｖｐｃｖを風量テーブルから読み出すと共に、風量バランス制御部１がステップＳ１２で決定した変更後の給気風量Ｖｍａｖおよび風量バランス制御部１がステップＳ１２で決定した変更後の排気風量Ｖｇｅｘに対応する室圧補正制御バルブＰＣＶの風量Ｖｐｃｖ’を風量テーブルから読み出す。そして、風量補正部４は、給気風量Ｖｍａｖおよび排気風量Ｖｇｅｘの変更による室圧補正制御バルブＰＣＶの風量の変動量ΔＶｐｃｖ＝Ｖｐｃｖ’−Ｖｐｃｖを計算し、この変動量ΔＶｐｃｖから排気風量Ｖｇｅｘの補正量ΔＶｇｅｘ＝−ΔＶｐｃｖを計算することで、風量バランス制御部１がステップＳ１２で決定した排気風量Ｖｇｅｘを、Ｖｇｅｘ’＝Ｖｇｅｘ＋ΔＶｇｅｘに変更すればよい。風量テーブルに登録しておく風量Ｖｐｃｖは、事前の実験によって調査しておけばよい。
【００２５】
なお、風量補正部４は、変更前の給気風量Ｖｍａｖおよび変更前の排気風量Ｖｇｅｘと風量バランス制御部１が決定する変更後の給気風量Ｖｍａｖおよび風量バランス制御部１が決定する変更後の排気風量Ｖｇｅｘと、排気風量Ｖｇｅｘの補正値Ｖｇｅｘ’との関係を予め記憶する補正値テーブル（不図示）を備えていてもよい。風量補正部４は、変更前の給気風量Ｖｍａｖと変更前の排気風量Ｖｇｅｘと風量バランス制御部１がステップＳ１２で決定した変更後の給気風量Ｖｍａｖと風量バランス制御部１がステップＳ１２で決定した変更後の排気風量Ｖｇｅｘとに対応する排気風量Ｖｇｅｘの補正値Ｖｇｅｘ’を補正値テーブルから読み出し、風量バランス制御部１がステップＳ１２で決定した排気風量ＶｇｅｘをＶｇｅｘ’に変更すればよい。補正値テーブルに登録しておく補正値Ｖｇｅｘ’は、給気風量Ｖｍａｖおよび排気風量Ｖｇｅｘを変更後の給気風量Ｖｍａｖおよび排気風量Ｖｇｅｘ’に変更したときに、室圧補正制御バルブＰＣＶの風量に変更が生じないように事前の実験によって定めておけばよい。
【００２６】
また、風量補正部４は、変更前の給気風量Ｖｍａｖおよび変更前の排気風量Ｖｇｅｘと風量バランス制御部１が決定する変更後の給気風量Ｖｍａｖおよび風量バランス制御部１が決定する変更後の排気風量Ｖｇｅｘと、排気風量Ｖｇｅｘの補正量ΔＶｇｅｘ＝Ｖｇｅｘ’−Ｖｇｅｘとの関係を予め記憶する補正量テーブル（不図示）を備えていてもよい。風量補正部４は、変更前の給気風量Ｖｍａｖと変更前の排気風量Ｖｇｅｘと風量バランス制御部１がステップＳ１２で決定した変更後の給気風量Ｖｍａｖと風量バランス制御部１がステップＳ１２で決定した変更後の排気風量Ｖｇｅｘとに対応する排気風量Ｖｇｅｘの補正量ΔＶｇｅｘを補正量テーブルから読み出し、風量バランス制御部１がステップＳ１２で決定した排気風量Ｖｇｅｘを、Ｖｇｅｘ’＝Ｖｇｅｘ＋ΔＶｇｅｘに変更すればよい。補正量テーブルに登録しておく補正量ΔＶｇｅｘは、給気風量Ｖｍａｖおよび排気風量Ｖｇｅｘを変更後の給気風量Ｖｍａｖおよび排気風量Ｖｇｅｘ’に変更したときに、室圧補正制御バルブＰＣＶの風量に変更が生じないように事前の実験によって定めておけばよい。
【００２７】
風量バランス制御部１は、給気バルブＭＡＶによって調節される給気の風量がステップＳ１２で決定した風量Ｖｍａｖとなるように給気バルブＭＡＶの開度を制御する（図４ステップＳ１４）。また、風量バランス制御部１は、排気バルブＧＥＸによって調節される排気風量が、ステップＳ１２で決定した風量Ｖｇｅｘとなるように、あるいは風量補正部４による変更がなされたときにはステップＳ１３で決定された風量Ｖｇｅｘ’となるようにコントローラ１０４を介して排気バルブＧＥＸの開度を制御する（図４ステップＳ１５）。
【００２８】
上記のとおり、風量バランス制御部１は給気風量Ｖｍａｖと排気風量Ｖｇｅｘを徐々に変更するので、給気風量Ｖｍａｖがスケジュールで予め設定された風量値または外部から指定された風量値に達するまで（図４ステップＳ１６においてＹＥＳ）、ステップＳ１２〜Ｓ１５の処理が制御周期毎に繰り返し行われる。風量変更後の風量バランス制御は上記で説明したとおりである。
【００２９】
なお、風量変更後の風量バランス制御では、風量変更時に風量補正部４による排気風量Ｖｇｅｘの変更が行われた場合、一時的に式（１）が成立しない状態となることが有り得るが、風量バランス制御部１は、次の風量変更が生じるまで、図４の風量変更制御動作で最終的に設定された給気風量Ｖｍａｖと排気風量Ｖｇｅｘを維持する。
【００３０】
以上のように、本実施の形態では、風量変更部３から風量変更の指示を受けたときに風量バランス制御部１が決定した排気風量Ｖｇｅｘを風量補正部４で変更することにより、室圧補正制御バルブＰＣＶの風量の変動を抑えることができ、室圧補正制御バルブＰＣＶの動作回数を減らすことができる。その結果、本実施の形態では、室圧補正制御バルブＰＣＶの寿命を延ばすことができ、室圧補正制御バルブＰＣＶの交換や点検などのメンテナンスの手間を軽減することができる。
【００３１】
例えば風量バランス制御に室圧補正制御を組み合わせた従来のシステムで、給気風量Ｖｍａｖ＝１０００ｍ3／ｈ、排気風量Ｖｇｅｘ＝１２００ｍ3／ｈで風量バランスをしているときの室圧補正制御バルブＰＣＶの風量がＶｐｃｖ＝１００ｍ3／ｈだったとする。また、給気風量Ｖｍａｖ＝２０００ｍ3／ｈ、排気風量Ｖｇｅｘ＝２２００ｍ3／ｈで風量バランスをしているときの室圧補正制御バルブＰＣＶの風量がＶｐｃｖ＝２００ｍ3／ｈだったとする。この場合、風量バランス制御の結果、給気風量Ｖｍａｖと排気風量Ｖｇｅｘを増やすと、室圧補正制御バルブＰＣＶの風量Ｖｐｃｖを１００ｍ3／ｈから２００ｍ3／ｈに増やすことになる。
【００３２】
一方、本実施の形態では、排気風量Ｖｇｅｘの補正量ΔＶｇｅｘ＝−１００ｍ3／ｈと計算することで、排気風量Ｖｇｅｘを２１００ｍ3／ｈに変更するので、室圧補正制御バルブＰＣＶの風量はＶｐｃｖ＝１００ｍ3／ｈのままでよいこととなり、室圧補正制御バルブＰＣＶの風量Ｖｐｃｖを変更する必要がなくなる。
【００３３】
なお、本実施の形態では、室圧補正制御バルブＰＣＶを給気ダクト１０１に配置しているが、排気ダクト１０２に配置してもよい。この場合、Ｖｐｃｖは、室圧補正制御バルブＰＣＶによって調節する排気の風量となる。
【００３４】
また、本実施の形態では、風量変更部３からの風量変更指示が生じたときに、風量補正部４で排気風量Ｖｇｅｘを変更しているが、風量補正部４で給気風量Ｖｍａｖを変更するようにしてもよい。給気風量Ｖｍａｖを変更する場合、風量補正部４は、給気風量Ｖｍａｖおよび排気風量Ｖｇｅｘの変更による室圧補正制御バルブＰＣＶの風量の変動量ΔＶｐｃｖ＝Ｖｐｃｖ’−Ｖｐｃｖを計算し、この変動量ΔＶｐｃｖから給気風量Ｖｍａｖの補正量ΔＶｍａｖ＝−ΔＶｐｃｖを計算することで、風量バランス制御部１がステップＳ１２で決定した給気風量Ｖｍａｖを、Ｖｍａｖ’＝Ｖｍａｖ＋ΔＶｍａｖに変更すればよい。
【００３５】
また、補正値テーブル（不図示）を用いる場合は、風量補正部４は、変更前の給気風量Ｖｍａｖと変更前の排気風量Ｖｇｅｘと風量バランス制御部１がステップＳ１２で決定した変更後の給気風量Ｖｍａｖと風量バランス制御部１がステップＳ１２で決定した変更後の排気風量Ｖｇｅｘとに対応する給気風量Ｖｍａｖの補正値Ｖｍａｖ’を補正値テーブルから読み出し、風量バランス制御部１がステップＳ１２で決定した給気風量ＶｍａｖをＶｍａｖ’に変更すればよい。また、補正量テーブル（不図示）を用いる場合は、風量補正部４は、変更前の給気風量Ｖｍａｖと変更前の排気風量Ｖｇｅｘと風量バランス制御部１がステップＳ１２で決定した変更後の給気風量Ｖｍａｖと風量バランス制御部１がステップＳ１２で決定した変更後の排気風量Ｖｇｅｘとに対応する給気風量Ｖｍａｖの補正量ΔＶｍａｖを補正量テーブルから読み出し、風量バランス制御部１がステップＳ１２で決定した給気風量Ｖｍａｖを、Ｖｍａｖ’＝Ｖｍａｖ＋ΔＶｍａｖに変更すればよい。
【００３６】
また、風量変更部３からの風量変更指示が生じたときに、風量補正部４で排気風量Ｖｇｅｘと給気風量Ｖｍａｖの両方を変更するようにしてもよい。風量テーブル（不図示）を用いる場合は、風量補正部４は、室圧補正制御バルブＰＣＶの風量の変動量ΔＶｐｃｖから計算する補正量を、例えば排気風量Ｖｇｅｘの補正量ΔＶｇｅｘと給気風量Ｖｍａｖの補正量ΔＶｍａｖとに均等に分けるようにすればよい。
【００３７】
また、補正値テーブル（不図示）を用いる場合は、風量補正部４は、変更前の給気風量Ｖｍａｖと変更前の排気風量Ｖｇｅｘと風量バランス制御部１がステップＳ１２で決定した変更後の給気風量Ｖｍａｖと風量バランス制御部１がステップＳ１２で決定した変更後の排気風量Ｖｇｅｘとに対応する排気風量Ｖｇｅｘの補正値Ｖｇｅｘ’および給気風量Ｖｍａｖの補正値Ｖｍａｖ’を補正値テーブルから読み出し、風量バランス制御部１がステップＳ１２で決定した排気風量ＶｇｅｘをＶｇｅｘ’に変更すると共に、風量バランス制御部１がステップＳ１２で決定した給気風量ＶｍａｖをＶｍａｖ’に変更すればよい。
【００３８】
また、補正量テーブル（不図示）を用いる場合は、風量補正部４は、変更前の給気風量Ｖｍａｖと変更前の排気風量Ｖｇｅｘと風量バランス制御部１がステップＳ１２で決定した変更後の給気風量Ｖｍａｖと風量バランス制御部１がステップＳ１２で決定した変更後の排気風量Ｖｇｅｘとに対応する排気風量Ｖｇｅｘの補正量ΔＶｇｅｘおよび給気風量Ｖｍａｖの補正量ΔＶｍａｖを補正量テーブルから読み出し、風量バランス制御部１がステップＳ１２で決定した排気風量Ｖｇｅｘを、Ｖｇｅｘ’＝Ｖｇｅｘ＋ΔＶｇｅｘに変更すると共に、風量バランス制御部１がステップＳ１２で決定した給気風量Ｖｍａｖを、Ｖｍａｖ’＝Ｖｍａｖ＋ΔＶｍａｖに変更すればよい。
【００３９】
本実施の形態で説明した各コントローラ１０３，１０４は、例えばＣＰＵ（Central Processing Unit）、記憶装置およびインタフェースを備えたコンピュータとこれらのハードウェア資源を制御するプログラムによって実現することができる。各コントローラ１０３，１０４のＣＰＵは、各コントローラの記憶装置に格納されたプログラムに従って本実施の形態で説明した処理を実行する。
【００４０】
なお、本実施の形態において、風量補正部４は、オフセット風量αを広げる方向に補正する場合は、風量バランス制御部１が風量変更部３からの指示に応じて決定した給気風量Ｖｍａｖを減らし、オフセット風量αを狭める方向に補正する場合は、風量バランス制御部１が風量変更部３からの指示に応じて決定した排気風量Ｖｇｅｘを減らすようにしてもよい。これにより、省エネルギーに貢献することができる。
【産業上の利用可能性】
【００４１】
本発明は、風量バランス制御に室圧補正制御を組み合わせたシステムに適用することができる。
【符号の説明】
【００４２】
１…風量バランス制御部、２…室圧補正制御部、３…風量変更部、４…風量補正部、１００…部屋、１０１…給気ダクト、１０２…排気ダクト、１０３，１０４…コントローラ、１０５…通信線、１０６…差圧センサ、１１０…基準室、ＭＡＶ…給気バルブ、ＧＥＸ…排気バルブ、ＰＣＶ…室圧補正制御バルブ。
【図１】
0006294779.tif 000002
【図２】
0006294779.tif 000003
【図３】
0006294779.tif 000004
【図４】
0006294779.tif 000005